(57)【特許請求の範囲】
【請求項１】
柄と、この柄の先端部分に互換装着可能なブラシヘッドとを備えた洗車用ブラシであって、柄は、柄本体と、この柄本体の基端部分に装着されるカプラーと、柄本体の先端部分に装着される接続管と、柄本体に内装される送水パイプと、柄本体の基端がわ部分に配される調節バルブとを備え、カプラーは、送水用ホースが接続可能となるよう構成し、送水パイプは、カプラーと接続管を連通すると共に、軽量で且つ送水用ホースより小径に構成し、調節バルブは、送水パイプ内の流路の開閉及び流量調節が可能となるよう構成し、接続管は、その先端部分にブラシ保持ナットが螺着可能に形成され、ブラシヘッドは、ブラシ台板と、このブラシ台板の下面に装着されるブラシ本体とを備え、ブラシ台板には、接続管が遊挿可能な透孔と、透孔の下面がわ開口周縁部分に形成される凹部とを設け、接続管に対してブラシ台板が旋回可能で且つ上下方向に於いて所定範囲内で揺動可能となるように、ブラシ保持ナットを接続管に螺着できるよう構成したことを特徴とする洗車用ブラシ。
【請求項２】
柄と、この柄の先端部分に形成した取付け部に互換装着可能なブラシヘッドとを備えた洗車用ブラシであって、柄は、柄本体と、この柄本体の基端部分に装着されるカプラーと、柄本体の先端部分に装着される接続管と、柄本体に内装される送水パイプと、柄本体の基端がわ部分に配される調節バルブとを備え、カプラーは、その基端部に送水用ホースが接続可能となるよう構成し、送水パイプは、カプラーと接続管を連通すると共に、軽量で且つ送水用ホースより小径となる弾性復元力を備えたエアーホースによって構成し、調節バルブは、送水パイプの一部を圧迫することにより、送水パイプ内の流路の開閉及び流量調節が可能となるよう構成し、接続管は、その先端外周面にブラシ保持ナットが螺着可能な雄ネジ部が形成され、ブラシヘッドは、略楕円板状のブラシ台板と、このブラシ台板の下面に装着されるブラシ本体とを備え、ブラシ台板は、その中央部分に接続管が遊挿可能な透孔を穿設すると共に、その下面に透孔開口周縁部分を刳り貫くようにした凹部を形成し、一対のワッシャーを所定の隙間を介してブラシ台板の透孔部分を上下から挟むように配置すると共に、接続管の雄ネジ部にブラシ保持ナットを螺着せしめて前記隙間を維持できるように形成し、接続管に対してブラシ台板が旋回可能で且つ上下方向に於いて所定範囲内で揺動可能となるように構成したことを特徴とする洗車用ブラシ。
【請求項３】
前記ブラシ保持ナットは、蝶ナットで構成し、その先端がわネジ孔内表面にストッパーを周設し、このストッパーが接続管先端面に当接したときに前記隙間が所定の間隔となるように構成したことを特徴とする請求項２記載の洗車用ブラシ。
【発明の詳細な説明】
【技術分野】
【０００１】
本発明は、主に、適宜業務用車両（例えば、タクシーや、トラックや、ゴミ収集車や、土木建設用車両等）のボディーや車両の下側部分（例えば、シャーシ部分や、タイヤや、ホイール部分等）の汚れを落とせるようにした洗車用ブラシに係り、特に、その軽量化や耐久性の向上等が図れ、取扱いが容易となり、汚れを確実に且つ迅速に落とせ、洗車に使用される水の節約が可能となり、経済的にも優れ、作業者による洗車作業の負担をより軽減できるように工夫した洗車用ブラシに関するものである。
【背景技術】
【０００２】
従来、この種の洗車用ブラシとしては種々のものが提供或いは提案されており、例えば、図５の（イ）や、特許文献１に示されているような洗車用ブラシがある。これらは、ブラシ台部分と柄が一体的に形成されたもので、例えば、車両の比較的平らな部分（ボディー部分等）を洗う場合にはブラシの毛先部分が全体的に当り、綺麗に洗うことができるように構成されたものである。
また、特許文献２に示すような洗浄用ブラシが創出されており、これは、柄の基端部分にホースの取付部を設け、この取付部から洗車用の水が柄内を通過してブラシ部分に吐出するように構成したものである。
【０００３】
【特許文献１】実用新案登録第３０９１０７９号公報
【特許文献２】特開平１１−１５１１２０号公報
【発明の開示】
【発明が解決しようとする課題】
【０００４】
ところが、前者の如き洗車用ブラシにあっては、例えば、凹んだ隅部の汚れを洗って落とそうとすると、ブラシの毛先全体を当てて洗うことができない場合もあり、そのときは、ブラシ本体の一部（先端がわ部分）のみが当って、この部分が消耗・変形し易くなる難点があった（例えば、図５の（イ）参照）。しかも、ブラシ本体の一部が消耗・変形してしまうと、洗車用ブラシ自体を新しいものに交換する必要があり、経済的な問題点や環境上の問題点もあった。
更に、ブラシ台の幅と長さを異ならしめてある洗車用ブラシにあっては、ブラシ台を旋回せしめてその幅と長さの違いを利用した効率の良い洗車作業が期待できない難点もあった。
加えて、凹凸部分等を洗う場合や、車両の下側部分を洗う場合は、作業者が姿勢を変えたり、手の角度を変えたり、或いは、かなり窮屈な姿勢で洗車作業を行うため、作業者の負担が大きい難点等があった。
【０００５】
また、後者の如き洗車用ブラシにあっては、例えば、柄を長く形成すればする程、かなりの重量の水が柄内に常時入っている状態での作業となり、洗車用ブラシが重くなり、これを作業者が持って長時間洗車作業を続けることは、かなりの重労働となる難点があった。特に、業務用車両（例えば、タクシーや、トラックや、ゴミ収集車や、土木建設用車両等）のように、洗車作業を行わなければならない車両台数が多い場合は、作業者の負担が非常に大きく、疲労のため作業効率の低下も生じる等の問題点もあった。
【課題を解決するための手段】
【０００６】
そこで、本発明は前述の如き難点等を解消できるようにすべく創出されたもので、請求項１記載の洗車用ブラシにあっては、柄Ａと、この柄Ａの先端部分に互換装着可能なブラシヘッドＢとを備えた洗車用ブラシであって、柄Ａは、柄本体１と、この柄本体１の基端部分に装着されるカプラー４と、柄本体１の先端部分に装着される接続管１０と、柄本体１に内装される送水パイプ２と、柄本体１の基端がわ部分に配される調節バルブ３とを備え、カプラー４は、送水用ホースＨが接続可能となるよう構成し、送水パイプ２は、カプラー４と接続管１０を連通すると共に、軽量で且つ送水用ホースＨより小径に構成し、調節バルブ３は、送水パイプ２内の流路の開閉及び流量調節が可能となるよう構成し、接続管１０は、その先端部分にブラシ保持ナット１３が螺着可能に形成され、ブラシヘッドＢは、ブラシ台板５と、このブラシ台板５の下面に装着されるブラシ本体６とを備え、ブラシ台板５には、接続管１０が遊挿可能な透孔５ａと、透孔５ａの下面がわ開口周縁部分に形成される凹部５ｂとを設け、接続管１０に対してブラシ台板５が旋回可能で且つ上下方向に於いて所定範囲内で揺動可能となるように、ブラシ保持ナット１３を接続管１０に螺着できるよう構成する手段を採用した。
【０００７】
また、請求項２記載の洗車用ブラシにあっては、柄Ａと、この柄Ａの先端部分に形成した取付け部に互換装着可能なブラシヘッドＢとを備えた洗車用ブラシであって、柄Ａは、柄本体１と、この柄本体１の基端部分に装着されるカプラー４と、柄本体１の先端部分に装着される接続管１０と、柄本体１に内装される送水パイプ２と、柄本体１の基端がわ部分に配される調節バルブ３とを備え、カプラー４は、その基端部に送水用ホースＨが接続可能となるよう構成し、送水パイプ２は、カプラー４と接続管１０を連通すると共に、軽量で且つ送水用ホースＨより小径となる弾性復元力を備えたエアーホースによって構成し、調節バルブ３は、送水パイプ２の一部を圧迫することにより、送水パイプ２内の流路の開閉及び流量調節が可能となるよう構成し、接続管１０は、その先端外周面にブラシ保持ナット１３が螺着可能な雄ネジ部１１が形成され、ブラシヘッドＢは、略楕円板状のブラシ台板５と、このブラシ台板５の下面に装着されるブラシ本体６とを備え、ブラシ台板５は、その中央部分に接続管１０が遊挿可能な透孔５ａを穿設すると共に、その下面に透孔５ａ開口周縁部分を刳り貫くようにした凹部５ｂを形成し、一対のワッシャー１２を所定の隙間を介してブラシ台板５の透孔５ａ部分を上下から挟むように配置すると共に、接続管１０の雄ネジ部１１にブラシ保持ナット１３を螺着せしめて前記隙間を維持できるように形成し、接続管１０に対してブラシ台板５が旋回可能で且つ上下方向に於いて所定範囲内で揺動可能となるように構成する手段を採用した。
【０００８】
更に、請求項３記載の洗車用ブラシにあっては、前記ブラシ保持ナット１３は、蝶ナットで構成し、その先端がわネジ孔内表面にストッパー１４を周設し、このストッパー１４が接続管１０先端面に当接したときに前記隙間が所定の間隔となるように構成する手段を採用した。
【発明の効果】
【０００９】
従って、本発明の請求項１記載の洗車用ブラシによれば、その軽量化や耐久性の向上等が図れ、取扱いが容易となり、汚れを確実に且つ迅速に落とせ、洗車に使用される水の節約が可能となり、経済的にも優れ、作業者による洗車作業の負担をより軽減できるようになる。しかも、構成が比較的簡素となり、量産し易く、経済性の優れたものとなる。
特に、適宜業務用車両（例えば、タクシーや、トラックや、ゴミ収集車や、土木建設用車両等）のボディーや車両の下側部分（例えば、シャーシ部分や、タイヤや、ホイール部分等）の汚れを落とすのに最適な洗車用ブラシとなる。
【００１０】
更に、本発明の洗車用ブラシにあっては、例えば、凹んだ隅部の汚れを洗って落とそうとすると、ブラシ本体６全体の毛先が凹凸部に確実に当るようになり、この凹凸部を綺麗に洗えるようになると共に、ブラシ本体６の一部（先端がわ部分）のみが消耗・変形するような虞のないものとなる。
しかも、ブラシ本体６が消耗・変形した時は、ブラシヘッドＢ自体を新しいものに互換装着でき、経済的な洗車用ブラシとなる。
そして、凹凸部分等を洗う場合や、車両の下側部分を洗う場合は、柄Ａに対してブラシヘッドＢを旋回させたり上下方向に於いて揺動させたりでき、作業者が姿勢を変えたり、手の角度を変えたり、或いは、かなり窮屈な姿勢で洗車作業を行わなくて済むことが多くなり、作業者の負担をかなり軽減できるようになる。
【００１１】
加えて、柄本体１に内装される送水パイプ２は、カプラー４と接続管１０を連通すると共に、軽量で且つ送水用ホースＨより小径に構成したので、例えば、柄Ａを長く形成してあったとしても、送水パイプ２内の水の重量が少ない状態で作業できるようになり、これを作業者が持って長時間洗車作業を続けたとしても、その負担をかなり軽減できるようになると共に、作業効率も良くなる。しかも、水の流速が速くなり、水を勢いよく噴出できるようになる。
【００１２】
更に、柄本体１の基端がわ部分に調節バルブ３を配し、この調節バルブ３は、送水パイプ２内の流路の開閉及び流量調節が可能となるよう構成したので、比較的簡単な構成で、送水パイプ２内の流路の開閉及び流量調節が行えるようになると共に、この調節等が作業者の手元で確実に且つ簡単に行えるようになり、作業性に優れ、使い勝手の良いものとなる。ひいては、水のこまめな供給が可能となり、水を効率良く利用でき、水を無駄にする虞のないものとなる。
【００１３】
また、本発明の請求項２記載の洗車用ブラシによれば、その軽量化や耐久性の向上等が図れ、取扱いが容易となり、汚れを確実に且つ迅速に落とせ、洗車に使用される水の節約が可能となり、経済的にも優れ、作業者による洗車作業の負担をより軽減できるようになる。しかも、構成が比較的簡素となり、量産し易く、経済性の優れたものとなる。
特に、適宜業務用車両（例えば、タクシーや、トラックや、ゴミ収集車や、土木建設用車両等）のボディーや車両の下側部分（例えば、シャーシ部分や、タイヤや、ホイール部分等）の汚れを落とすのに最適な洗車用ブラシとなる。
【００１４】
更に、本発明の洗車用ブラシにあっては、例えば、凹んだ隅部の汚れを洗って落とそうとすると、ブラシ本体６全体の毛先が凹凸部に確実に当るようになり、この凹凸部を綺麗に洗えるようになると共に、ブラシ本体６の一部（先端がわ部分）のみが消耗・変形するような虞のないものとなる。
しかも、ブラシ本体６が消耗・変形した時は、ブラシヘッドＢ自体を新しいものに互換装着でき、経済的な洗車用ブラシとなる。
そして、凹凸部分等を洗う場合や、車両の下側部分を洗う場合は、柄Ａに対してブラシヘッドＢを旋回させたり上下方向に於いて揺動させたりでき、作業者が姿勢を変えたり、手の角度を変えたり、或いは、かなり窮屈な姿勢で洗車作業を行わなくて済むことが多くなり、作業者の負担をかなり軽減できるようになる。
【００１５】
それから、ブラシ台板５を楕円板状としてあるので、柄Ａに対してブラシヘッドＢのブラシ台板５を旋回させることで、ブラシ台板５の幅と長さの違いを利用した効率の良い洗車作業が期待できるようになる。
【００１６】
加えて、柄本体１に内装される送水パイプ２は、カプラー４と接続管１０を連通すると共に、軽量で且つ送水用ホースＨより小径となる弾性復元力を備えたエアーホースによって構成したので、例えば、柄Ａを長く形成してあったとしても、送水パイプ２内の水の重量が少ない状態で作業できるようになり、これを作業者が持って長時間洗車作業を続けたとしても、その負担をかなり軽減できるようになると共に、作業効率も良くなる。しかも、水の流速が速くなり、水を勢いよく噴出できるようになる。加えて、より軽量で耐久性の優れた送水パイプ２となる。
【００１７】
更に、柄本体１の基端がわ部分に調節バルブ３を配し、この調節バルブ３は、送水パイプ２の一部を圧迫することにより、送水パイプ２内の流路の開閉及び流量調節が可能となるよう構成したので、より簡単な構成で、送水パイプ２内の流路の開閉及び流量調節が作業者の手元で確実に且つ簡単に行えるようになり、作業性に優れ、使い勝手の良いものとなる。ひいては、水のこまめな供給が可能となり、水を効率良く利用でき、水を無駄にする虞のないものとなる。しかも、故障し難く、メンテナンス等もより容易となる。
また、カプラー４は、その基端部に送水用ホースＨが接続可能となるよう構成したので、送水用ホースＨの接続、取外し作業が簡単に行えるようになる。
【００１８】
特に、接続管１０は、その先端外周面にブラシ保持ナット１３が螺着可能な雄ネジ部１１が形成され、ブラシヘッドＢは、略楕円板状のブラシ台板５と、このブラシ台板５の下面に装着されるブラシ本体６とを備え、ブラシ台板５は、その中央部分に接続管１０が遊挿可能な透孔５ａを穿設すると共に、その下面に透孔５ａ開口周縁部分を刳り貫くようにした凹部５ｂを形成し、一対のワッシャー１２を所定の隙間を介してブラシ台板５の透孔５ａ部分を上下から挟むように配置すると共に、接続管１０の雄ネジ部１１にブラシ保持ナット１３を螺着せしめて前記隙間を維持できるように形成し、接続管１０に対してブラシ台板５が旋回可能で且つ上下方向に於いて所定範囲内で揺動可能となるよう構成したので、凹凸部分等を洗う場合や、車両の下側部分を洗う場合は、柄Ａに対してブラシヘッドＢを旋回させたり上下方向に於いて揺動させたりでき、作業者が姿勢を変えたり、手の角度を変えたり、或いは、かなり窮屈な姿勢で洗車作業を行わなくて済むことが多くなり、作業者の負担をかなり軽減できるようになる。
【００１９】
しかも、ブラシ台板５の上下方向に於ける揺動可能範囲を所定範囲内に限定してあることにより、所定範囲ぎりぎりに揺動している場合に、柄Ａに加えられる力をブラシ台板５に確実に伝えられるようになり、強い力をブラシ台板５に伝えて洗うことができるようになる。加えて、雄ネジ部１１とブラシ保持ナット１３とによって、揺動可能範囲を簡単に且つ細かく設定変更できるようになる。
【００２０】
更に、本発明の請求項３記載の洗車用ブラシによれば、工具等を利用しなくてもブラシ保持ナット１３を回転せしめられるようになり、ブラシヘッドＢの互換装着や、揺動可能範囲の設定変更等が簡単に且つ確実に行えるようになる。
しかも、ストッパー１４を設けたことにより、このストッパー１４を接続管１０先端面に当接せしめるだけで、一対のワッシャー１２でブラシ台板５の透孔５ａ部分を上下から挟むように配置したときに形成される隙間が所定の間隔となり、この隙間を確実に維持できるようになり、その取り扱いがより簡単なものとなる。
【発明を実施するための最良の形態】
【００２１】
以下、本発明を図示例に基づいて説明すると、次の通りである。
本発明の洗車用ブラシは、主に、適宜業務用車両（例えば、タクシーや、トラックや、ゴミ収集車や、土木建設用車両等）のボディーや車両の下側部分（例えば、シャーシ部分や、タイヤや、ホイール部分等）の汚れを確実に且つ簡単に落とせるようにしたもので、具体的には、適宜柄Ａと、この柄Ａの先端部分に互換装着可能に構成される適宜ブラシヘッドＢとからなるものである。
そして、柄Ａは、柄本体１と、この柄本体１の基端部分に装着されるカプラー４と、柄本体１の先端部分に装着される接続管１０と、柄本体１に内装される送水パイプ２と、柄本体１の基端がわ部分に配される調節バルブ３とを備えた構成となっている。
しかも、カプラー４は、送水用ホースＨが接続可能となるよう構成し、送水パイプ２は、カプラー４と接続管１０を連通すると共に、軽量で且つ送水用ホースＨより小径に構成し、調節バルブ３は、送水パイプ２内の流路の開閉及び流量調節が可能となるよう構成し、接続管１０は、その先端部分にブラシ保持ナット１３が螺着可能となるように構成してある。
更に、ブラシヘッドＢは、ブラシ台板５と、このブラシ台板５の下面に装着されるブラシ本体６とを備えた構成となっている。
しかも、ブラシ台板５には、接続管１０が遊挿可能な透孔５ａと、透孔５ａの下面がわ開口周縁部分に形成される凹部５ｂとを設け、接続管１０に対してブラシ台板５が旋回可能で且つ上下方向に於いて所定範囲内で揺動可能となるように、ブラシ保持ナット１３を接続管１０に螺着できるよう構成したものである。
【実施例】
【００２２】
前記柄Ａは、その先端部分に形成した取付け部に、ブラシヘッドＢが互換装着可能となるよう形成してあり、例えば、柄本体１と、送水パイプ２と、調節バルブ３と、カプラー４と、接続管１０とを備えたものである。
【００２３】
そして、前記柄本体１は、例えば、適宜合成樹脂材等によって略長尺中空状（尚、一部或いは全部が開放状態となるように構成されたものであっても良い）に形成されると共に、洗車部位等に応じて長く形成したものから短く形成したものまで適宜長さに自由に設定できるように形成されている。しかも、その基端がわ部分は、手指で安定的に且つ確実に握持できるよう形成され、更に、全体的に必要な強度を備えると共に、できる限り軽量となるように構成されている。
【００２４】
前記送水パイプ２は、例えば、空圧用ホースである軽くて丈夫なエアーホースによって構成してあると共に、柄本体１内に収まるように配されており、更に、柄本体１の基端部分に装着されるカプラー４の先端部分にその一端部分が接続され、柄本体１の先端部分に装着される接続管１０の基端部分にその他端部分が接続されて、カプラー４と接続管１０とを連通できるように形成されている。しかも、送水パイプ２は、送水用ホースＨ（例えば、外径２１ｍｍで内径１８ｍｍ）より小径（例えば、外径８ｍｍで内径５ｍｍ）で軽量なものが使用され、その一部を圧迫変形（圧潰）してもその弾性復元力によって流路を復元できるように構成されたものが使用される。すなわち、小径で軽量とすることにより、送水パイプ２内の水の重量が少ない状態で作業できるようにして、作業者の重量的な負担を軽減できるように形成し、また、小径とすることにより、水の流速を速めて、水を勢いよく噴出して綺麗に洗えるように形成してある。しかも、弾性復元力を備えていることにより、調節バルブ３による送水パイプ２の一部の圧迫変形がスムーズに行えて、送水パイプ２内の流路の開閉及び流量調節が確実に、簡単に、且つ細かく調節できるように形成されている。
【００２５】
前記調節バルブ３は、例えば、適宜金属材や、適宜合成樹脂材や、適宜複合材等によって構成されている。そして、雄ネジ状の軸部と、この軸部の上端部分に連設される頭部とからなるバルブ本体によって構成し、軸部は、柄本体１の基端部分に螺着され、頭部を手指で摘んで正逆回転せしめることにより、軸部の先端面部分で送水パイプ２の一部を圧迫変形せしめられるように構成されている。すなわち、送水パイプ２の一部を圧迫変形することにより、その断面積を変化せしめて流量調節が細かく行え、押し潰すようにすることにより、流路を遮断できるように構成されている。
尚、調節バルブ３は、市販されているようなバルブ装置を送水パイプ２の途中に（或いは、カプラー４と送水パイプ２の間に）介装するようにしたものであっても良い。
【００２６】
前記カプラー４は、例えば、適宜合成樹脂材（適宜金属材や適宜複合材でも良い）によって略筒状に形成されており、カプラー４の基端部分は送水用ホースＨが取外し可能に接続できるように形成され、カプラー４の先端部分は送水パイプ２の一端部分が接続できるように構成されている。しかも、カプラー４は柄本体１の基端部分に固定されると共に、カプラー４の基端部分が柄本体１の基端外方に露出するように構成されていて、送水用ホースＨの接続、取外しが確実に且つ簡単に行えるように構成されている。
尚、カプラー４に前記調節バルブ３等を組込むように構成しても良い。
【００２７】
前記接続管１０は、例えば、適宜合成樹脂材（適宜金属材や適宜複合材でも良い）によって略筒状に形成されており、接続管１０の基端部分は送水パイプ２の他端部分が接続できるように形成され、接続管１０の先端がわ部分にはブラシヘッドＢが装着できるように構成されている。しかも、接続管１０は柄本体１の先端部分に固定されると共に、接続管１０の先端部分が柄本体１の先端外方に露出するように構成されている。尚、接続管１０は、その筒芯が柄本体１の長手方向に対して鈍角となるような適宜角度に配されており、柄本体１を握持したときに、ブラシヘッドＢのブラシ本体６の毛先が、車両の凹凸部分に対応して均一に接触できるように配慮してある。
【００２８】
また、接続管１０の先端がわ外周面には、雄ネジ部１１が形成されており、この雄ネジ部１１を利用してブラシ保持ナット１３が螺着できるように構成してある。
【００２９】
前記ブラシヘッドＢは、ブラシ台板５と、ブラシ台板５の下面に装着（例えば、植設）される多数の毛からなるブラシ本体６とを備えたもので、ブラシ本体６が摩耗、変形したときに、ブラシ台板５部分を利用して柄Ａの先端部分の取付け部の接続管１０に互換装着可能となるように構成したものである。
【００３０】
前記ブラシ台板５は、例えば、適宜合成樹脂材（適宜木材や適宜複合材でも良い）によって略楕円板状に形成されており、ブラシ台板５の中央部分には、接続管１０の外径より稍大きい内径となって、接続管１０が遊挿可能となるような透孔５ａを穿設してある。すなわち、ブラシ台板５の透孔５ａは、接続管１０に対してブラシ台板５が旋回可能で且つ上下方向に於いて所定範囲内で揺動可能となるように構成されている。
更に、ブラシ台板５の下面中央には、透孔５ａの開口周縁部分を大きく刳り貫くようにした円形の凹部５ｂを形成してある。すなわち、この凹部５ｂは、接続管１０に螺着されるブラシ保持ナット１３の殆どの部分が回転可能な状態で収まるように構成されていて、ブラシ保持ナット１３が洗車の邪魔にならないようにしてある。
しかも、ブラシ台板５は、中空状に形成して、その軽量化が図れるようにしてある。
また、略楕円板状に形成してあり、柄Ａに対してブラシヘッドＢのブラシ台板５を旋回させることにより、ブラシ台板５の幅と長さの違いを利用した効率の良い洗車作業が可能となるように形成してある。例えば、図６に示すように、ブラシヘッドＢの長軸が柄Ａの長手方向に沿うようにブラシヘッドＢを旋回せしめ、柄Ａの長手方向に対して直交する方向にブラシヘッドＢを移動させて、効率良く洗車したり、或いは、ブラシヘッドＢの長軸が柄Ａの長手方向に対して直交するようにブラシヘッドＢを旋回せしめ、柄Ａの長手方向に沿ってブラシヘッドＢを移動させて、効率良く洗車したりできるように形成してある。
【００３１】
前記ブラシ本体６は、例えば、多数の毛をブラシ台板５下面に直角に植設することにより形成されたものである。尚、ブラシ本体６の構成や、寸法や、材質や、数や、配列状態や、固定手段等は適宜設定、変更可能となるものである。
【００３２】
図中１２は、例えば、接続管１０が挿通されると共に、ブラシ台板５の透孔５ａ部分を上下から挟むように配置される一対の平ワッシャーである。そして、このワッシャー１２は、接続管１０の雄ネジ部１１にブラシ保持ナット１３を螺着せしめたときに、柄本体１の先端部分と上部ワッシャー１２との間、或いは、上部ワッシャー１２とブラシ台板５上面との間、或いは、ブラシ台板５の凹部５ｂ奥面と下部のワッシャー１２との間、或いは、下部のワッシャー１２とブラシ保持ナット１３との間に適宜隙間を設けられるように配されている。しかも、この隙間は、維持されると共に、接続管１０に対してブラシ台板５が旋回できて、且つ上下方向に於いて所定範囲内で揺動できるように構成されている。すなわち、ブラシ台板５が所定範囲ぎりぎりに揺動している場合に、柄Ａに加えられる力をブラシ台板５に確実に伝えられるようにして、強い力をブラシ台板５に伝えて洗うことができるように形成してある。尚、この隙間は、ブラシ保持ナット１３の雄ネジ部１１への螺着位置によって、その揺動可能範囲を簡単に且つ細かく設定変更できるように形成されている。
【００３３】
更に、前記ブラシ保持ナット１３は、例えば、蝶ナットで構成されている。すなわち、工具等を利用しなくてもブラシ保持ナット１３を回転せしめられるようになり、ブラシヘッドＢの互換装着等が簡単に且つ確実に行えるように構成してある。尚、このブラシ保持ナット１３は、緩み止め付ナットや、その他のナットで構成しても良い。
【００３４】
また、ブラシ保持ナット１３の先端がわネジ孔内表面には、ストッパー１４が周設されており、このストッパー１４は、接続管１０先端面に当接できるように形成されている。すなわち、ストッパー１４は、接続管１０先端面に当接して、それ以上のネジ込み操作を不能とし、このときに、前記隙間（柄本体１の先端部分と上部ワッシャー１２との間、或いは、上部ワッシャー１２とブラシ台板５上面との間、或いは、ブラシ台板５の凹部５ｂ奥面と下部のワッシャー１２との間、或いは、下部のワッシャー１２とブラシ保持ナット１３との間の所定の隙間）が確実に設けられるように構成しておく。しかも、ストッパー１４が接続管１０先端面に圧止されるようになれば、ブラシ保持ナット１３の緩み止めともなる。
【００３５】
図中１５は、例えば、適宜厚みに形成される略リング状のスペーサーで、このスペーサー１５は、ストッパー１４と接続管１０の先端面との間に介装されて、前記隙間を微調節できるように設けられるものである。すなわち、ブラシ台板５の上下方向に於ける揺動可能範囲を所定範囲内に限定できるようにして、所定範囲ぎりぎりに揺動している状態のときに、柄Ａに加えられる力をブラシ台板５に確実に伝えられるようにし、強い力をブラシ台板５に伝えて洗うことができるように構成してある。
【００３６】
前記送水用ホースＨは、水を洗車用ブラシに確実に送給できるものであれば良く、例えば、外径が１６ｍｍで内径が１５ｍｍのものや、外径が２１ｍｍで内径が１８ｍｍのもの等が利用される。
【００３７】
ところで、洗車用ブラシの具体的構成、形状、寸法、材質、柄Ａの具体的構成、形状、寸法、材質、ブラシヘッドＢの具体的構成、形状、寸法、材質、柄Ａの長手方向に対する取付け角度、柄本体１の具体的構成、形状、寸法、材質、送水パイプ２の具体的構成、形状、寸法、材質、調節バルブ３の具体的構成、形状、寸法、材質、配設位置、カプラー４の具体的構成、形状、寸法、材質、ブラシ台板５の具体的構成、形状、寸法、材質、透孔５ａの具体的構成、形状、寸法、配設位置、凹部５ｂの具体的構成、形状、寸法、配設位置、ブラシ本体６の具体的構成、形状、寸法、材質、接続管１０の具体的構成、形状、寸法、材質、雄ネジ部１１の具体的構成、形状、寸法、配設位置、ワッシャー１２の具体的構成、形状、寸法、材質、配設位置、数、ブラシ保持ナット１３の具体的構成、形状、寸法、材質、配設位置、ストッパー１４の具体的構成、形状、寸法、材質、配設位置、スペーサー１５の具体的構成、形状、寸法、材質等は図示例のもの等に限定されることなく適宜自由に設定、変更できるものである。
【００３８】
尚、本発明の洗車用ブラシは、柄Ａを、高圧洗浄機に置き換えて構成したものであっても良い。すなわち、高圧洗浄機の先端部分にブラシヘッドＢを装着できるように構成したものであっても良い（図８の（ロ）参照）。
【図面の簡単な説明】
【００３９】
【図１】本発明の洗車用ブラシを例示する断面図である。
【図２】本発明の洗車用ブラシのブラシヘッド及び取付け部部分を例示する部分分解斜視図である。
【図３】本発明の洗車用ブラシのブラシヘッド及び取付け部部分を例示する部分断面図である。
【図４】本発明の洗車用ブラシのブラシ保持ナット及び接続管部分を例示する部分断面図で、（イ）は部分分解断面図、（ロ）は部分断面図、（ハ）は他の部分断面図である。
【図５】本発明の洗車用ブラシと従来の洗車用ブラシの使用状態を例示するもので、（イ）は従来の洗車用ブラシの使用状態を例示する正面図、（ロ）は本発明の洗車用ブラシの使用状態を例示する正面図である。
【図６】本発明の洗車用ブラシの使用状態を例示するもので、（イ）はブラシヘッドの長軸が柄の長手方向に沿うようにブラシヘッドを旋回せしめ、柄の長手方向に対して直交する方向にブラシヘッドを移動させる状態を示す平面図、（ロ）はブラシヘッドの長軸が柄の長手方向に対して直交するようにブラシヘッドを旋回せしめ、柄の長手方向に沿ってブラシヘッドを移動させる状態を示す平面図である。
【図７】本発明の洗車用ブラシの使用状態を例示する斜視図である。
【図８】本発明の洗車用ブラシの実施例を例示するもので、（イ）は比較的短い柄にブラシヘッドを装着した洗車用ブラシの部分断面図、（ロ）は高圧洗浄機を利用した柄にブラシヘッドを装着した洗車用ブラシの部分断面図、（ハ）は比較的長い柄にブラシヘッドを装着した洗車用ブラシの部分断面図である。
【符号の説明】
【００４０】
Ａ      柄
Ｂ      ブラシヘッド
１      柄本体
２      送水パイプ
３      調節バルブ
４      カプラー
５      ブラシ台板
５ａ    透孔
５ｂ    凹部
６      ブラシ本体
１０    接続管
１１    雄ネジ部
１２    ワッシャー
１３    ブラシ保持ナット
１４    ストッパー
１５    スペーサー
Ｈ      送水用ホース
【図１】
0004591854.tif 000002
【図２】
0004591854.tif 000003
【図３】
0004591854.tif 000004
【図４】
0004591854.tif 000005
【図５】
0004591854.tif 000006
【図６】
0004591854.tif 000007
【図７】
0004591854.tif 000008
【図８】
0004591854.tif 000009